(57)【特許請求の範囲】
【請求項１】
自動原稿送り装置によって自動給紙される原稿の画像を読み取ると共に、読取面への異物の付着によって生じる読取画像の副走査方向に延びる筋模様を検出する画像読取装置であって、
前記自動原稿送り装置にセットされた複数枚からなる原稿の読み取りと、読み取った原稿の画像中の筋模様の検出の結果、最後に読み取った原稿の画像に筋模様が検出された場合に筋模様の検出を報知する報知手段を具備することを特徴とする画像読取装置。
【請求項２】
前記報知手段は、最後に読み取った原稿に筋模様が検出された場合に、最後に読み取った原稿よりも前に読み取った原稿で検出された筋模様と最後に読み取った原稿で検出された筋模様との位置を比較し、当該位置の差が所定のしきい値を下回った場合、前記読取面の清掃を促すガイダンスを報知することを特徴とする請求項１に記載の画像読取装置。
【請求項３】
前記報知手段は、最後に読み取った原稿に筋模様が検出された場合に、最後に読み取った原稿よりも前に読み取った原稿で検出された筋模様と最後に読み取った原稿で検出された筋模様との位置を比較し、当該位置の差が所定のしきい値を上回った場合、筋模様の検出を報知することを特徴とする請求項１または２に記載の画像読取装置。
【請求項４】
前記報知手段は、筋模様の検出あるいは前記読取面の清掃を促すガイダンスを表示手段
に画像として表示させることを特徴とする請求項１〜３のいずれか一項に記載の画像読取
装置。
【請求項５】
請求項１〜４のいずれか一項に記載の画像読取装置を具備し、該画像読取装置で読み取った画像を記録紙上に画像形成することを特徴とする画像形成装置。
【発明の詳細な説明】
【技術分野】
【０００１】
本発明は、画像読取装置及び画像形成装置に関する。
【背景技術】
【０００２】
電子写真方式の画像読取装置においては、例えばＡＤＦ（Automatic document feeder：自動原稿送り装置）によりプラテンガラス上に副走査方向から自動給紙される原稿を、主走査方向に延在するＣＣＤ（Charge Coupled Device）ラインセンサーによって読み取る。このような画像読取装置においては、プラテンガラス上の読取位置（副走査方向における特定位置）にごみ（紙粉等）や汚れ等の異物あるいは傷等が存在すると、読取画像に副走査方向に延びる筋模様（以下、黒筋と称す）が現れる。このような画像形成装置においては、このような黒筋を検出し、当該黒筋の検出をユーザーに報知するものが存在する。例えば、下記特許文献１には、複数枚からなる原稿の読み取りにおいて所定の回数正常な原稿の読み取りが行われる間に、黒筋が所定の回数検出された場合には、黒筋の原因を取り除くように清掃促すガイダンス（清掃ガイダンス）を表示する原稿読取装置が提案されている。
【先行技術文献】
【特許文献】
【０００３】
【特許文献１】特開２００６−３１１３３６号公報
【発明の概要】
【発明が解決しようとする課題】
【０００４】
ところで、プラテンガラス上への異物の付着に起因する黒筋は、プラテンガラス上を通過する原稿によって異物が除去されることによって解消される場合がある。しかしながら、上記従来技術では、ＡＤＦで自動給紙される原稿の何れかに黒筋が検出されると速やかに清掃ガイダンスを表示するので、実際には異物が除去されて黒筋が発生しない正常状態に戻っているにも拘らず清掃ガイダンスが表示される。これにより、プラテンガラスの不必要な清掃が行われるため、この結果としてプラテンガラス上のコートが剥がれてプラテンガラス表面に微小な凹凸が発生し、余計に異物が付着し易くなるという悪循環が生じる。
【０００５】
本発明は、上述した事情に鑑みてなされたものであり、筋模様の発生に起因してユーザーに不必要な対応をさせることを防止して、装置の使い勝手を向上させることを目的とする。また、本発明は、筋模様の発生に起因する清掃によって読取面が傷み、異物が付着し易くなることを防ぐことを目的とする。
【課題を解決するための手段】
【０００６】
上記目的を達成するために、本発明では、画像読取装置に係る第１の解決手段として、自動原稿送り装置によって自動給紙される原稿の画像を読み取ると共に、読取面への異物の付着によって生じる読取画像の副走査方向に延びる筋模様を検出する画像読取装置であって、複数枚からなる原稿の読み取りと筋模様の検出の結果、最後に読み取った原稿に筋模様が検出された場合に筋模様の検出を報知する、という手段を採用する。
【０００７】
本発明では、画像読取装置に係る第２の解決手段として、上記第１の解決手段において、前記報知手段は、最後に読み取った原稿に筋模様が検出された場合に、最後に読み取った原稿よりも前に読み取った原稿で検出された筋模様と最後に読み取った原稿で検出された筋模様との位置を比較し、当該位置の差が所定のしきい値を下回った場合、前記読取面の清掃を促すガイダンスを報知する、という手段を採用する。
【０００８】
本発明では、画像読取装置に係る第３の解決手段として、上記第１または第２の解決手段において、前記報知手段は、最後に読み取った原稿に筋模様が検出された場合に、最後に読み取った原稿よりも前に読み取った原稿で検出された筋模様と最後に読み取った原稿で検出された筋模様との位置を比較し、当該位置の差が所定のしきい値を上回った場合、筋模様の検出を報知する、という手段を採用する。
【０００９】
本発明では、画像読取装置に係る第４の解決手段として、上記第１〜第３のいずれか１つの解決手段において、前記報知手段は、筋模様の検出あるいは前記読取面の清掃を促すガイダンスを表示手段に画像として表示させる、という手段を採用する。
【００１０】
また、本発明では、画像形成装置に係る解決手段として、上記第１〜第４のいずれか１つの解決手段に係る画像読取装置を具備し、該画像読取装置で読み取った画像を記録紙上に画像形成する、という手段を採用する。
【発明の効果】
【００１１】
本発明によれば、最後に読み取った原稿に筋模様が検出された場合に筋模様が検出されたことを報知する、すなわち複数枚からなる原稿の読み取りにおいて、途中の原稿に筋模様を検出したとしても筋模様の発生原因となる異物が後続の原稿の搬送によって取り除かれる可能性があるので、最後に読み取った原稿に筋模様が検出されなかった場合には筋模様が検出されたことを報知しない。このような本発明によれば、筋模様の発生に対してユーザーの対応が真に必要な場合にのみ筋模様の発生を報知するので、ユーザーに不必要な対応をさせることがなく、装置の使い勝手を従来よりも向上させることができる。例えば、本発明によれば、読取面の清掃のような対応をユーザーにさせることがないので、清掃によって読取面が傷み、異物が付着し易くなることを防ぐことができる。
【図面の簡単な説明】
【００１２】
【図１】本発明の一実施形態に係る複合機Ａの機能ブロック図である。
【図２】本発明の一実施形態における画像読取部２の断面図である。
【図３】本発明の一実施形態に係る複合機Ａの動作を示すフローチャートである。式図である。
【発明を実施するための形態】
【００１３】
以下、図面を参照して、本発明の実施形態について説明する。
本実施形態に係る複合機Ａは、電子写真方式に基づいて記録紙に画像を形成する画像形成装置であり、図１に示すように、操作表示部１、画像読取部２、画像データ記憶部３、通信部４、画像形成部５及び演算制御部６を備える。なお、操作表示部１は、本実施形態における表示手段である。
【００１４】
操作表示部１は、操作キー１１及びタッチパネル１２を備えており、ユーザーと複合機Ａとを関係付けるマンマシンインターフェイスとして機能する。操作表示部１は、操作キー１１またはタッチパネル１２に表示された操作ボタンに対するユーザーの操作指示を操作信号として演算制御部６に出力するとともに、演算制御部６から入力される制御信号に基づいてタッチパネル１２に種々の画像を表示する。
【００１５】
画像読取部２は、図１，２に示すようにＡＤＦ（Automatic document feeder：自動原稿送り装置）２０及びフラットベット読取部３０から構成されており、演算制御部６から入力される制御信号に基づいてＡＤＦ２０により給紙される原稿Ｐまたはユーザーによりフラットベット読取部３０上に載置された原稿Ｐの表面画像（原稿画像）を読み取って原稿画像データに変換し、この原稿画像データを画像データ記憶部３に出力する。
【００１６】
ＡＤＦ２０は、原稿給紙トレイ２２に載置された複数枚の原稿Ｐを原稿画像の読取位置に１枚ずつ順次自動給紙するものであり、図２に示すようにプラテンカバー２１、原稿給紙トレイ２２、ピックアップローラー２３、搬送ローラー２４、レジストローラー２５、原稿検出部２６、排紙ローラー２７及び原稿排紙トレイ２８を備える。
【００１７】
プラテンカバー２１は、給紙途中で紙詰まりした原稿Ｐを除去する等のために、ＡＤＦ２０本体に開閉自在に取り付けられた可動カバーである。図２では、プラテンカバー２１の内部が閉じられた状態を示しているが、ユーザーは、プラテンカバー２１を開状態とすることによりピックアップローラー２３、搬送ローラー２４及びレジストローラー２５等にアクセス可能である。原稿給紙トレイ２２は、読取対象である原稿Ｐを収容する容器である。
【００１８】
ピックアップローラー２３は、原稿給紙トレイ２２に収容された原稿Ｐを１枚づつ取り出して搬送ローラー２４に送り出す駆動ローラーである。搬送ローラー２４は、ピックアップローラー２３から供給された原稿Ｐをレジストローラー２５に向けて搬送する駆動ローラーである。レジストローラー２５は、搬送ローラー２４から供給された原稿Ｐを所定のタイミングで排紙ローラー２７に向けて送り出す駆動ローラーである。
【００１９】
このレジストローラー２５と排紙ローラー２７との間には、図示するように読取用開口部Ｋが形成されている。この読取用開口部Ｋは、ＡＤＦ２０の底部、つまりフラットベット読取部３０との対向部に副走査方向（原稿搬送方向）に所定幅で設けられた帯状開口であり、ＡＤＦ２０によって自動給紙される原稿Ｐの表面がフラットベット読取部３０に露出する部位である。このような読取用開口部Ｋとレジストローラー２５との間には原稿検出部２６が設けられている。この原稿検出部２６は、レジストローラー２５から送り出された原稿Ｐの先端位置を検出し、検出信号を演算制御部６に出力する。排紙ローラー２７は、ピックアップローラー２３から供給された原稿Ｐを原稿排出トレイ２８に向けて搬送する駆動ローラーである。原稿排出トレイ２８は、排紙ローラー２７から供給された原稿Ｐを収容する収容部である。
【００２０】
フラットベット読取部３０は、図２に示すように、第１のプラテンガラス３１、第２のプラテンガラス３２、白色基準板３３、原稿サイズ指示板３４、フルレートキャリッジ３５、ハーフレートキャリッジ３６、集光レンズ３７、ＣＣＤ（Charge Coupled Device）ラインセンサー３８及び読取部筐体３９を備えている。このようなフラットベット読取部３０は、ＡＤＦ２０により自動給紙された原稿Ｐ、またはユーザーにより第２のプラテンガラス３２上に載置された原稿Ｐを読み取る。
【００２１】
第１のプラテンガラス３１は、読取部筐体３９の上面左側に設けられた帯状開口に嵌め込まれた透明な板ガラスであり、上述したＡＤＦ２０の読取用開口部Ｋと対向している。ＡＤＦ２０のレジストローラー２５から排紙ローラー２７に向けて順次搬送される複数枚の原稿Ｐは、第１のプラテンガラス３１上を順次通過する。第２のプラテンガラス３２は、第１のプラテンガラス３１が嵌め込まれた読取部筐体３９の上面に設けられた帯状開口の右側に設けられた矩形開口に嵌め込まれた透明な板ガラスであり、ＡＤＦ２０を使用しない画像読取処理を行う際に、ユーザーにより原稿Ｐが載置される。
【００２２】
白色基準板３３は、読取部筐体３９の上面において第１のプラテンガラス３１と第２のプラテンガラス３２との間に設けられ、周知のシェーディング補正に用いられる基準色を提供する白色板である。原稿サイズ指示板３４は、読取部筐体３９の上面において第２のプラテンガラス３２と白色基準板３３との間に設けられ、ユーザーが第２のプラテンガラス３２上に原稿Ｐを載置する際に原稿サイズに応じた載置位置を示すマークである。
【００２３】
フルレートキャリッジ３５は、照明光を斜め上方に向けて照射する光源３５ａと、原稿Ｐにより反射された光をハーフレートキャリッジ３６に向けて反射する第１のミラー３５ｂとを備え、副走査方向に延在するレール上に移動可能に取り付けられている。フルレートキャリッジ３５は、ＡＤＦ２０により自動給紙された原稿Ｐを読み取る際には、図２に示すように第１のプラテンガラス３１の下方に固定され、第１のプラテンガラス３１上の読取用開口部Ｋを通過する原稿Ｐに向けて光源３５ａから放射された光を照明光として照射すると共に、当該照明光が原稿Ｐの表面で反射して得られる反射光（読取光）を第１のミラー３５ｂによってハーフレートキャリッジ３６に向けて反射する。
【００２４】
なお、フルレートキャリッジ３５は、第２のプラテンガラス３２に載置された原稿Ｐを読み取る際には、第２のプラテンガラス３２の下方において副走査方向に移動しながら原稿Ｐに向けて照明光を照射すると共に、原稿Ｐから順次得られる読取光を第１のミラー３５ｂによってハーフレートキャリッジ３６に向けて反射する。
【００２５】
ハーフレートキャリッジ３６は、上記第１のミラー３５ｂから入射した読取光を下方に反射する第２のミラー３６ａと、該第２のミラー３６ａから入射した読取光を集光レンズ３７に向けて反射する第３のミラー３６ｂとを備え、フルレートキャリッジ３５と同一のレール上にフルレートキャリッジ３５の左側に位置するように取り付けられている。ハーフレートキャリッジ３６は、ＡＤＦ２０によって自動給紙された原稿Ｐを読み取る場合には、図２に示すように第１のプラテンガラス３１の下方に位置するフルレートキャリッジ３５の左側において所定距離離れて固定されている。なお、第２のプラテンガラス３２上にセットされた原稿Ｐの画像を読み取る場合、ハーフレートキャリッジ３６は、フルレートキャリッジ３５と同様に副走査方向に移動する。
【００２６】
集光レンズ３７は、上記第３のミラー３６ｂから入射する読取光を集光してＣＣＤラインセンサー３８の受光面に結像させる。ＣＣＤラインセンサー３８は、所定数のＣＣＤ受光素子が直線状（ライン状）に並ぶラインセンサーであり、受光面で順次受光した読取光を電気信号に光電変換し、原稿画像に応じた原稿画像データとして画像データ記憶部３に出力する。なお、図２に示す破線矢印は、ＡＤＦ２０により原稿Ｐが自動給紙される際における照明光及び読取光の光路を示している。なお、読取部筐体３９は、上述したフルレートキャリッジ３５、ハーフレートキャリッジ３６、集光レンズ３７及びＣＣＤラインセンサー３８を収容する箱型筐体である。
【００２７】
画像データ記憶部３は、半導体メモリ−またはハードディスク装置等であり、演算制御部６から入力される制御信号に基づいて上記原稿画像データ、通信部４が外部のクライアントコンピューターから受信するプリント画像データあるいは通信部４が外部のファクシミリ装置から受信するファクシミリ画像データを記憶すると共に、これら画像データを演算制御部６から入力される制御信号に基づいて読み出して画像形成部５に出力する。
【００２８】
通信部４は、演算制御部６から入力される制御信号に基づいて電話回線を介して外部の複合機あるいはファクシミリ装置、またＬＡＮ（Local Area Network）を介してクライアントコンピューター等と通信を行うものである。すなわち、この通信部４は、イーサネット（登録商標）等のＬＡＮ規格に準拠した通信機能と、Ｇ３等のファクシミリ規格に準拠した通信機能とを兼ね備えたものである。
【００２９】
画像形成部５は、プリントエンジン（感光ドラム、帯電器、現像装置及び定着ローラーなど）などを備え、演算制御部６から入力される制御信号に基づいて記録紙を搬送し、画像データ記憶部３から入力された画像データに基づいて記録紙上にトナー画像を形成するものである。画像形成部５は、画像読取部２が読み取った原稿画像や通信部４が個々のクライアントコンピューターやファクシミリ装置から受信した印刷対象画像を個々の「ジョブ（プリントジョブ）」として処理することにより画像形成を行う。
【００３０】
演算制御部６は、ＣＰＵ（Central Processing Unit）、ＲＯＭ（Read Only Memory）、ＲＡＭ（Random Access Memory）及び上述した各部と各種信号の送受信を行うインターフェイス回路等から構成されており、上記ＲＯＭに記憶された制御プログラムに基づいて複合機Ａの全体動作を制御する。詳細については後述するが、演算制御部６は、上記各種の演算処理の一環として、第１のプラテンガラス３１（読取面）への異物（紙粉等のごみや汚れ等）の付着によって生じる読取画像の副走査方向に延びる筋模様（以下、黒筋と称す）を検出し、複数枚からなる原稿Ｐの読み取りと黒筋の検出の結果、最後に読み取った原稿Ｐに黒筋が検出された場合に黒筋の検出を報知する。なお、このような演算制御部６は、操作表示部１と共に本実施形態における報知手段を構成する。
【００３１】
次に、このように構成された複合機Ａの動作について説明する。
最初に本複合機Ａの全体動作を説明する。例えばユーザーがＡＤＦ２０に原稿Ｐをセットし、また操作表示部１を操作することにより原稿Ｐの複写（コピー）を指示すると、当該指示に関する操作信号は操作表示部１から演算制御部６に入力される。この結果、演算制御部６は、画像読取部２に原稿Ｐを頁毎に読み取らせる画像読取処理を実行させる。
【００３２】
すなわち、演算制御部６は、ピックアップローラー２３を駆動させて原稿給紙トレイ２２内の記録紙Ｐを１枚づつ取り出して搬送ローラー２４に送り出させると共に当該搬送ローラー２４を駆動させて原稿Ｐをレジストローラー２５に向けて搬送させ、それと同時に、フルレートキャリッジ３５及びハーフレートキャリッジ３６を図２に示す所定の位置に移動させる。そして、演算制御部６は、レジストローラー２５を駆動させて搬送ローラー２４から供給された原稿Ｐを読取用開口部Ｋに向けて搬送すると共に光源３５ａを駆動させて原稿Ｐに向けて光を照射させる。この結果、光源３５ａにより照射された光は、原稿Ｐに反射され、その後第１のミラー３５ｂ、第２のミラー３６ａ及び第３のミラー３６ｂにより順次反射されることで集光レンズ３７に導入され、集光レンズ３７によってＣＣＤラインセンサー３８の受光面に集光される。
【００３３】
そして、演算制御部６は、ＣＣＤラインセンサー３８を駆動させて受光させると共にレジストローラー２５から送り出された原稿Ｐが原稿検出部２６により検出されたタイミングに基づいてＣＣＤラインセンサー３８から出力される画像データを原稿Ｐの頁毎の原稿画像データとして画像データ記憶部３に記憶させる。そして、演算制御部６は、レジストローラー２５から読取用開口部Ｋを経由して搬送された原稿Ｐを排紙ローラー２７を駆動させて原稿排出トレイ２８に排出させる。そして、演算制御部６は、画像データ記憶部３に記憶された原稿画像データに基づいて原稿画像の画像形成処理を画像形成部５に実行させる。
【００３４】
ここで、演算制御部６は、画像読取部２に上記画像読取処理を行わせるに際して、以下の特徴的な処理を行う。すなわち、演算制御部６は、図３のフローチャートに示すように、黒筋検出処理を行う（ステップＳ１）。例えば、演算制御部６は、ＣＣＤラインセンサー３８から出力される画像データから原稿Ｐにおける副走査方向（原稿搬送方向）の先端近傍部及び後端近傍部における規定箇所の画像（原稿内画像）を取得すると共に、ＡＤＦ２０によって先行して読取位置に自動給紙される原稿Ｐ（先行原稿）と当該先行原稿に続いて自動給紙される原稿Ｐ（後行原稿）との間の画像（原稿外画像）を取得し、上記原稿内画像と原稿外画像とを比較することにより第１のプラテンガラス３１に付着した異物に起因する黒筋を検出する。
【００３５】
そして、演算制御部６は、上記黒筋検出処理において複数枚からなる原稿Ｐの読み取り途中に黒筋を検出したか否か判定する（ステップＳ２）。演算制御部６は、複数枚からなる原稿Ｐの読み取り途中に黒筋を検出した場合（ＹＥＳの場合）、黒筋の位置を記憶する（ステップＳ３）。例えば、演算制御部６は、１０枚からなる原稿Ｐの読み取りが行われる際、１〜９枚目の原稿を読み取る間に黒筋を検出した場合に該黒筋の位置を記憶する。つまり、演算制御部６は、最後に読み取った原稿（１０枚目の原稿）よりも前に読み取った原稿で検出された黒筋の位置を記憶する。なお、黒筋の位置は、原稿画像データに黒筋が現れた画素の位置によって示される。一方、演算制御部６は、複数枚からなる原稿Ｐの読み取り途中に黒筋を検出しなかった場合（ＮＯの場合）、黒筋の位置の記憶を行わない。
【００３６】
演算制御部６は、上記ステップＳ２またはステップＳ３の処理の後も画像読取処理を継続させ、最後の原稿Ｐの読み取り完了後、最後に読み取った原稿Ｐに黒筋を検出したか否か判定する（ステップＳ４）。演算制御部６は、最後に読み取った原稿Ｐに黒筋を検出しなかった場合（ＮＯの場合）、図３に示すフローチャートの処理を終了する。また、演算制御部６は、最後に読み取った原稿Ｐに黒筋を検出した場合（ＹＥＳの場合）、複数枚からなる原稿Ｐの読み取り途中に黒筋を検出して該黒筋の位置を記憶しているか否か判定する（ステップＳ５）。
【００３７】
そして演算制御部６は、途中に検出された黒筋の位置を記憶していない場合（ＮＯの場合）、図３に示すフローチャートの処理を終了する。一方、演算制御部６は、途中に検出された黒筋の位置を記憶している場合（ＹＥＳの場合）、複数枚からなる原稿Ｐの読み取り途中に検出された黒筋と、最後に読み取った原稿Ｐで検出された黒筋との位置を比較し、当該位置の差が所定のしきい値を下回ったか否か判定する（ステップＳ６）。ここで、演算制御部６は、原稿画像データにおいて黒筋が現れた画素の位置を比較する。
【００３８】
そして、演算制御部６は、黒筋の位置の差が所定のしきい値を下回った場合（ＹＥＳの場合）、ユーザーに第１のプラテンガラス３１の清掃を促すガイダンスの画像をタッチパネル１２に表示させる（ステップＳ７）。例えば、演算制御部６は、所定のしきい値が１０画素である場合には、黒筋の位置の差が１０画素を下回った場合、第１のプラテンガラス３１の清掃を促すガイダンスの画像をタッチパネル１２に表示させる。黒筋の位置の差が所定のしきい値を下回った場合においては、異物が第１のプラテンガラス３１に強固に付着、または搬送される原稿に接触しない位置に付着している可能性が高いので、第１のプラテンガラス３１の清掃を促すガイダンスの画像をタッチパネル１２に表示させる。
【００３９】
一方、演算制御部６は、黒筋の位置の差が所定のしきい値を上回った場合（ＮＯの場合）、黒筋の検出を報知する画像をタッチパネル１２に表示させる（ステップＳ８）。つまり、演算制御部６は、黒筋の位置の差が所定のしきい値を上回った場合、第１のプラテンガラス３１の清掃を促すガイダンスの画像を表示させずに、黒筋の検出を報知する画像のみを表示させる。黒筋の位置の差が所定のしきい値を上回った場合においては、異物が搬送される原稿に接触して移動している可能性が高く、第１のプラテンガラス３１に強固に付着しているわけでもないので、黒筋の検出を報知する画像のみを表示させる。
【００４０】
このような本実施形態によれば、最後に読み取った原稿Ｐに黒筋が検出された場合に黒筋が検出されたことを報知する、すなわち複数枚からなる原稿Ｐの読み取りにおいて、途中の原稿Ｐに黒筋を検出したとしても黒筋の発生原因となる異物が後続の原稿Ｐの搬送によって取り除かれる可能性があるので、最後に読み取った原稿Ｐに黒筋が検出されなかった場合には黒筋が検出されたことを報知しない。このような本実施形態によれば、黒筋の発生に対してユーザーの対応が真に必要な場合にのみ黒筋の発生を報知するので、ユーザーに不必要な対応をさせることがなく、装置の使い勝手を従来よりも向上させることができる。例えば、本実施形態によれば、プラテンガラス３１の清掃のような対応をユーザーにさせることがないので、清掃によってプラテンガラス３１が傷み、異物が付着し易くなることを防ぐことができる。
【００４１】
以上、本発明の実施形態について説明したが、本発明は上記実施形態に限定されることなく、例えば以下のような変形が考えられる。
【００４２】
（１）上記実施形態では、複数枚からなる原稿Ｐの読み取り途中に検出された黒筋と、最後に読み取った原稿Ｐで検出された黒筋との位置を比較し、比較結果に基づいて第１のプラテンガラス３１の清掃を促すガイダンスの画像あるいは黒筋の検出を報知したが、本発明はこれに限定されない。つまり、本発明は、上記比較処理を行わなくても、複数枚からなる原稿Ｐの読み取りと黒筋の検出の結果、最後に読み取った原稿Ｐに黒筋が検出された場合に黒筋の検出を報知するものであればよい。また、上記実施形態では、複数枚からなる原稿Ｐの読み取り途中に黒筋を検出した場合、特に黒筋の検出を報知していないが、黒筋の検出を報知するようにしてもよい。
【００４３】
（２）上記実施形態では、第１のプラテンガラス３１の清掃を促すガイダンスあるいは黒筋の検出を画像によって報知したが、本発明はこれに限定されない。例えば、上記実施形態がスピーカーを備える場合、演算制御部６は、黒筋の検出あるいは第１のプラテンガラス３１の清掃を促すガイダンスをスピーカーから音声を発音させることによって報知するようにしてもよい。
【００４４】
（３）上記実施形態では、黒筋の位置の差に基づいてステップＳ７とステップＳ８とに処理を分岐する際のしきい値を１０画素としているが、本発明はこれに限定されない。このしきい値は、１０画素より大きな値でもよいし、また１０画素より小さな値でもよい。特に、機種によって１画素に収まる読み取り範囲が異なるので、その範囲に応じてしきい値を適切に設定するようにすればよい。
【００４５】
（４）上記実施形態では、原稿Ｐにおける副走査方向の先端近傍部及び後端近傍部両方の原稿内画像を取得し、これら原稿内画像と原稿外画像とを比較することにより黒筋の発生を推定したが本発明はこれに限定されない。例えば、原稿Ｐにおける副走査方向の先端近傍部及び後端近傍部の一方、つまり原稿Ｐにおける副走査方向の一方の端部の画像と、原稿外画像とを比較することにより黒筋の発生を検出するようにしてもよい。
【符号の説明】
【００４６】
Ａ…複合機、１…操作表示部（表示手段、報知手段）、２…画像読取部、３…画像データ記憶部、４…通信部、５…画像形成部、６…演算制御部（報知手段）、２０…ＡＤＦ、３０…フラットベット読取部、２１…プラテンカバー、２２…原稿給紙トレイ、２３…ピックアップローラー、２４…搬送ローラー、２５…レジストローラー、２６…原稿検出部、２７…排紙ローラー、２８…原稿排紙トレイ、Ｋ…読取用開口部、３１…第１のプラテンガラス、３２…第２プラテンガラス、３３…白色基準板、３４…原稿サイズ指示板、３５…フルレートキャリッジ、３５ａ…光源、３５ｂ…第１のミラー、３６…ハーフレートキャリッジ、３６ａ…第２のミラー、３６ｂ…第３のミラー、３７…集光レンズ、３８…ＣＣＤラインセンサー、３９…読取部筐体
【図１】
0005562321.tif 000002
【図２】
0005562321.tif 000003
【図３】
0005562321.tif 000004